(57)【要約】【課題】アクセスネットワークとサービス提供システムとを別個に備える通信システムにおいて、在圏変更処理によるトラフィックの量を抑える。【解決手段】ＨＳＳ／ＨＬＲ２１０は、端末装置Ｍが通信サービスの提供を受けるときに、ＨＳＳ／ＨＬＲが属するＩＭＳネットワーク２００のＣＳＣＦユニット２２０のうち、端末装置Ｍが在圏するセルＣにおける通信サービスを提供するものを、端末装置Ｍに割り当てる。【選択図】図１
2015173305.tif 000002
【特許請求の範囲】
【請求項１】
端末装置から通信サービスの提供要求を受け付けたときに、自装置が属するサービス提供システムの呼処理装置のうち、当該端末装置が在圏する通信エリアにおける通信サービスを提供するものを前記端末装置に割り当てる割当部
を備える通信管理装置。
【請求項２】
端末装置の在圏するエリアが、自装置が管理するアクセスネットワークの第１の回線交換機の通信エリアから、自装置が管理するアクセスネットワークの第２の回線交換機の通信エリアに変更されるときに、前記第１の回線交換機と前記第２の回線交換機との在圏変更処理を行う在圏変更処理部を備え、
前記在圏変更処理部は、端末装置の在圏するエリアが前記第１の回線交換機の通信エリアから前記第２の回線交換機の通信エリアに変更されるときに、前記サービス提供システムにおける在圏変更処理を行わない
請求項１に記載の通信管理装置。
【請求項３】
前記在圏変更処理部は、前記端末装置のＩＤに関連付けて当該端末装置が在圏する通信エリアを加入者情報記憶部に記録し、
前記割当部は、前記端末装置が在圏する通信エリアを前記加入者情報記憶部から読み出し、当該通信エリアにおける通信サービスを提供するものを前記端末装置に割り当てる
請求項２に記載の通信管理装置。
【請求項４】
前記割当部は、第１の端末装置が第２の端末装置と通信を行うときに、自装置に接続される呼処理装置のうち、前記第１の端末装置が在圏する通信エリアにおける通信サービスを提供するものを前記第１の端末装置に割り当て、自装置に接続される呼処理装置のうち、前記第２の端末装置が在圏する通信エリアにおける通信サービスを提供するものを前記第２の端末装置に割り当てる
請求項１から請求項３の何れか１項に記載の通信管理装置。
【請求項５】
第１の端末装置が第２の端末装置と通信を行うときに、前記第２の端末装置のサービス状況を確認する確認部を備え、
前記割当部は、前記確認部によって前記第２の端末装置のサービス状況がサービス可能であることが示される場合に、自装置に接続される呼処理装置のうち、前記第２の端末装置が在圏する通信エリアにおける通信サービスを提供するものを前記第２の端末装置に割り当てる
請求項４に記載の通信管理装置。
【請求項６】
前記割当部は、前記呼処理装置を前記端末装置に割り当てた後に、当該呼処理装置に前記端末装置とのセッションを開始させる
請求項１から請求項５の何れか１項に記載の通信管理装置。
【請求項７】
端末装置から通信サービスの提供要求を受け付けたときに、当該通信管理装置が属するサービス提供システムの呼処理装置のうち、当該端末装置が在圏する通信エリアにおける通信サービスを提供するものを前記端末装置に割り当てる割当ステップ
を有する通信制御方法。
【請求項８】
通信管理装置のコンピュータを、
端末装置から通信サービスの提供要求を受け付けたときに、自装置が属するサービス提供システムの呼処理装置のうち、当該端末装置が在圏する通信エリアにおける通信サービスを提供するものを前記端末装置に割り当てる割当部
として機能させるためのプログラム。
【請求項９】
所定の通信エリアにおける通信サービスを提供する複数の呼処理装置と、
端末装置から通信サービスの提供要求を受け付けたときに、前記呼処理装置のうち、当該端末装置が在圏する通信エリアにおける通信サービスを提供するものを前記端末装置に割り当てる通信管理装置と、
を備えるサービス提供システム。
【発明の詳細な説明】
【技術分野】
【０００１】
本発明は、通信管理装置、通信制御方法、プログラム及びサービス提供システムに関する。
【背景技術】
【０００２】
移動体通信システムは、所定の範囲のセル（通信エリア）を有する複数の基地局装置を備える。端末装置は、当該セルに在圏することで通信サービスの提供を受けることができる。移動体通信システムは、端末装置の移動に伴って端末装置が在圏するセルを適切に変更することで、端末装置に対して常に通信サービスを提供できるようにする在圏変更処理（ハンドオーバ）を行う（例えば、特許文献１〜３を参照）。
【先行技術文献】
【特許文献】
【０００３】
【特許文献１】特開２０１１−０３５７４８号公報
【特許文献２】特開２０１０−１７１５１５号公報
【特許文献３】特開平８−１８６６０５号公報
【発明の概要】
【発明が解決しようとする課題】
【０００４】
近年、ＩＰ（Ｉｎｔｅｒｎｅｔ  Ｐｒｏｔｏｃｏｌ）を用いて通信サービスを提供するために、ＩＰを用いた通信を行うアクセスネットワークと、各種アプリケーションを提供するサービス提供システムとを別個に構築した移動体通信システムが提供されている。アクセスネットワークの例としては、Ｗ−ＣＤＭＡ（Ｗｉｄｅｂａｎｄ  −  Ｃｏｄｅ  Ｄｉｖｉｓｉｏｎ  Ｍｕｌｔｉｐｌｅ  Ａｃｃｅｓｓ）やＣＤＭＡ２０００等の所謂３Ｇ（３ｒｄ  Ｇｅｎｅｒａｔｉｏｎ）エリアネットワークや、ＬＴＥ（Ｌｏｎｇ  Ｔｅｒｍ  Ｅｖｏｌｕｔｉｏｎ）ネットワーク等が挙げられる。また、サービス提供システムの例としては、ＩＭＳ（ＩＰ  Ｍｕｌｔｉｍｅｄｉａ  Ｓｕｂｓｙｓｔｅｍ）等が挙げられる。
【０００５】
移動体通信システムがアクセスネットワークとサービス提供システムとを別個に備える場合、アクセスネットワークとサービス提供システムとでそれぞれ在圏変更処理を行う必要がある。在圏変更処理は、端末装置が在圏するセルが切り替わる際に実施される。そのため、端末装置の所有者の多くが移動する通勤・通学の時間帯や帰宅時間帯に、在圏変更処理が頻繁に実行され、移動体通信システムのトラフィックが増大する。
【０００６】
本発明の目的は、上述した課題を解決する通信管理装置、通信制御方法、プログラム及びサービス提供システムを提供することにある。
【課題を解決するための手段】
【０００７】
第１の態様は、端末装置から通信サービスの提供要求を受け付けたときに、自装置が属するサービス提供システムの呼処理装置のうち、当該端末装置が在圏する通信エリアにおける通信サービスを提供するものを前記端末装置に割り当てる割当部を備える通信管理装置である。
【０００８】
また、第２の態様は、端末装置が通信サービスの提供を受けるときに、当該通信管理装置が属するサービス提供システムの呼処理装置のうち、当該端末装置が在圏する通信エリアにおける通信サービスを提供するものを前記端末装置に割り当てる割当ステップを有する通信制御方法である。
【０００９】
また、第３の態様は、通信管理装置のコンピュータを、端末装置から通信サービスの提供要求を受け付けたときに、自装置が属するサービス提供システムの呼処理装置のうち、当該端末装置が在圏する通信エリアにおける通信サービスを提供するものを前記端末装置に割り当てる割当部として機能させるためのプログラムである。
【００１０】
また、第４の態様は、所定の通信エリアにおける通信サービスを提供する複数の呼処理装置と、端末装置から通信サービスの提供要求を受け付けたときに、前記呼処理装置のうち、当該端末装置が在圏する通信エリアにおける通信サービスを提供するものを前記端末装置に割り当てる通信管理装置と、を備えるサービス提供システムである。
【発明の効果】
【００１１】
上記態様のうち少なくとも１つの態様によれば、アクセスネットワークとサービス提供システムとを別個に備える通信システムにおいて、在圏変更処理によるトラフィックの量を抑えることができる。
【図面の簡単な説明】
【００１２】
【図１】一実施形態に係る通信システムの構成を示す概略ブロック図である。
【図２】一実施形態に係るＨＬＲ／ＨＳＳの構成を示す概略ブロック図である。
【図３】在圏変更処理を示すシーケンス図である。
【図４】ＨＬＲ／ＨＳＳによるＣＳＣＦユニットの割り当て処理を示すフローチャートである。
【図５】通信管理装置の基本構成を示す概略ブロック図である。
【図６】少なくとも１つの実施形態に係るコンピュータの構成を示す概略ブロック図である。
【発明を実施するための形態】
【００１３】
以下、図面を参照しながら実施形態について詳しく説明する。
図１は、一実施形態に係る通信システム１の構成を示す概略ブロック図である。
通信システム１は、ＩＰを用いた通信を行うアクセスネットワークと、各種アプリケーションを提供するサービス提供システムとを備える。本実施形態に係る通信システム１は、アクセスネットワークとして３Ｇエリアネットワーク１１０と、ＬＴＥネットワーク１２０とを備える。また、本実施形態に係るサービス提供システムは、ＩＭＳネットワーク２００である。
【００１４】
３Ｇエリアネットワーク１１０は、複数のＭＳＣ（Ｍｏｂｉｌｅ  Ｓｗｉｔｃｈ  Ｃｅｎｔｅｒ）１１１を備える。ＭＳＣ１１１は、複数の基地局装置を管理する交換機である。ＭＳＣ１１１は、自装置が管理する基地局装置のセルＣに在圏する端末装置Ｍの管理を行う。
ＬＴＥネットワーク１２０は、複数のＰ−ＧＷ（Ｐａｃｋｅｔ  Ｄａｔａ  Ｎｅｔｗｏｒｋ  −  ＧａｔｅＷａｙ）１２１を備える。Ｐ−ＧＷ１２１は、３Ｇエリアネットワーク１１０との在圏変更を行う際に端末装置Ｍのユーザである加入者の情報を管理する。
ＭＳＣ１１１及びＰ−ＧＷ１２１は、回線交換機の一例である。なお、図１には、２つのＭＳＣ１１１と１つのＰ−ＧＷ１２１とが記載されているが、あくまで一例であり、ＭＳＣ１１１及びＰ−ＧＷ１２１の数はこれに限られない。
【００１５】
ＩＭＳネットワーク２００は、ＨＬＲ／ＨＳＳ（Ｈｏｍｅ  Ｌｏｃａｔｉｏｎ  Ｒｅｇｉｓｔｅｒ  ／  Ｈｏｍｅ  Ｓｕｂｓｃｒｉｂｅｒ  Ｓｅｒｖｅｒ）２１０とＣＳＣＦ（Ｃａｌｌ  Ｓｅｓｓｉｏｎ  Ｃｏｎｔｒｏｌ  Ｆｕｎｃｔｉｏｎ）ユニット２２０とを備える。
ＨＬＲ／ＨＳＳ２１０は、３Ｇエリアネットワーク１１０とＬＴＥネットワーク１２０の加入者情報を管理し、加入者の認証と認可を実施する加入者情報管理装置である。加入者情報は、加入者の位置情報やＩＰ情報を含む。ＨＬＲ／ＨＳＳ２１０は、通信管理装置の一例である。
ＣＳＣＦユニット２２０は、ＩＭＳの機能の提供にあたり、プロキシ処理及びセッション管理を行う。ＣＳＣＦユニット２２０は、それぞれサービスを提供するエリアや、提供可能なサービスが異なっている。ＩＭＳネットワーク２００が提供するサービスの例としては、ＶｏＩＰ（Ｖｏｉｃｅ  ｏｖｅｒ  ＩＰ）や、ＩＰＴＶ（ＩＰ  Ｔｅｌｅｖｉｓｉｏｎ）等が挙げられる。ＨＬＲ／ＨＳＳ２１０は、端末装置Ｍごとにサービスの提供に応じたＣＳＣＦユニット２２０を選択する。ＣＳＣＦユニット２２０は、呼処理装置の一例である。
【００１６】
次に、本実施形態に係るＨＬＲ／ＨＳＳ２１０の構成を示す。
図２は、一実施形態に係るＨＬＲ／ＨＳＳ２１０の構成を示す概略ブロック図である。
ＨＬＲ／ＨＳＳ２１０は、加入者情報記憶部２１１、在圏変更処理部２１２、割当部２１３、確認部２１４を備える。
【００１７】
加入者情報記憶部２１１は、加入者ＩＤ（ｉｄｅｎｔｉｆｉｅｒ）に関連付けて、当該加入者のサービスプロファイル、当該加入者の認証に用いるキー、当該加入者が在圏するセルＣのＩＤ、当該加入者の位置情報、その他の情報を記憶する。加入者ＩＤの例としては、ＳＩＭ（Ｓｕｂｓｃｒｉｂｅｒ  Ｉｄｅｎｔｉｔｙ  Ｍｏｄｕｌｅ）カードに格納されたＩＤ、電話番号、ＩＭＳにおけるＳＩＰ  ＵＲＩ（Ｓｅｓｓｉｏｎ  Ｉｎｉｔｉａｔｉｏｎ  Ｐｒｏｔｏｃｏｌ  Ｕｎｉｆｏｒｍ  Ｒｅｓｏｕｒｃｅ  Ｉｄｅｎｔｉｆｉｅｒ）などが挙げられる。なお、加入者ＩＤは、端末装置ＭのＩＤと等価である。
【００１８】
在圏変更処理部２１２は、端末装置Ｍの在圏変更を行うとき、変更前のセルＣを有するＭＳＣ１１１またはＰ−ＧＷ１２１（以下、第１の回線交換機という）と、変更後のセルＣを有するＭＳＣ１１１またはＰ−ＧＷ１２１（以下、第２の回線交換機という）との通信を行い、在圏変更処理を実行する。
【００１９】
割当部２１３は、端末装置ＭがＩＭＳネットワーク２００による通信サービスを受けるときに、当該端末装置ＭにＣＳＣＦユニット２２０を割り当てる。
【００２０】
確認部２１４は、端末装置Ｍが他の端末装置Ｍとの通信を行うときに、当該他の端末装置Ｍのサービス状況を確認する。サービス状況の確認の例としては、端末装置Ｍが通信圏内に存在するか否かを確認すること、サービスの契約がなされているか否かを確認すること、利用停止状態になっているか否かを確認することが挙げられる。確認部２１４は、加入者情報記憶部２１１や外部の契約管理データベースなどを参照することで、端末装置Ｍのサービス状況を確認する。
【００２１】
次に、本実施形態に係る通信システム１における在圏変更処理の例を示す。
図３は、在圏変更処理を示すシーケンス図である。
第１の回線交換機は、端末装置Ｍの在圏変更が必要であると判定すると、ＨＬＲ／ＨＳＳ２１０に対して在圏変更要求を送信する（ステップＳ１０１）。在圏変更要求には、第２の回線交換機の候補を示す情報が含まれる。ＨＬＲ／ＨＳＳ２１０の在圏変更処理部２１２は、第１の回線交換機から在圏変更要求を受信すると、第２の回線交換機の候補の中から１つを選択し、選択した第２の回線交換機に対して在圏変更のリクエストを送信する（ステップＳ１０２）。第２の回線交換機は、在圏変更のリクエストを受信すると、当該リクエストに対し、在圏交換の可否を示す応答を送信する（ステップＳ１０３）。
【００２２】
在圏変更処理部２１２は、第２の回線交換機から在圏変更が可能であることを示す応答を受信すると、第１の回線交換機に対して在圏変更の実行命令を送信する（ステップＳ１０４）。当該実行命令には、第２の回線交換機の情報が含まれる。第１の回線交換機は、受信した実行命令に従って端末装置Ｍに対して第２の回線交換機のセルＣへのアクセス命令を送信する（ステップＳ１０５）。これにより、端末装置Ｍは、第２の回線交換機へアクセスする（ステップＳ１０６）。
【００２３】
第２の回線交換機は、端末装置Ｍによるアクセスを検出すると、ＨＬＲ／ＨＳＳ２１０に対して在圏変更が完了した旨を通知する（ステップＳ１０７）。そして、ＨＬＲ／ＨＳＳ２１０の在圏変更処理部２１２は、第１の回線交換機に対して在圏変更が完了した旨を通知する（ステップＳ１０８）。また、在圏変更処理部２１２は、加入者情報記憶部２１１が記憶する加入者が在圏するセルＣのＩＤを、第２の回線交換機のセルＣのＩＤに書き換える。
【００２４】
なお、在圏変更処理部２１２は、ＩＭＳネットワーク２００に対しては在圏変更処理を行わない。具体的には、在圏変更処理部２１２は、端末装置Ｍに対するＣＳＣＦユニット２２０の割り当て及び加入者情報記憶部２１１への位置情報の登録を行わない。これにより、ＨＬＲ／ＨＳＳ２１０は、在圏変更時におけるＩＭＳネットワーク２００のトラフィックの量を抑えることができる。また、在圏変更処理部２１２は、ＣＳＣＦユニット２２０を介さずに、ＭＳＣ１１１またはＰ−ＧＷ１２１との通信を行うことで、ＩＭＳネットワーク２００のトラフィックの量をより削減することができる。
【００２５】
次に、本実施形態に係る通信システム１におけるＣＳＣＦユニット２２０の割り当ての例を示す。
図４は、ＨＬＲ／ＨＳＳ２１０によるＣＳＣＦユニット２２０の割り当て処理を示すフローチャートである。
ＨＬＲ／ＨＳＳ２１０の割当部２１３は、ＭＳＣ１１１またはＰ−ＧＷ１２１を介して端末装置Ｍ（以下、第１の端末装置という）からＩＭＳネットワーク２００による通信サービスの要求を受信すると（ステップＳ２０１）、加入者情報記憶部２１１を参照して第１の端末装置が在圏しているセルＣを特定する（ステップＳ２０２）。次に、割当部２１３は、特定したセルＣにおける通信サービスを提供するＣＳＣＦユニット２２０を特定する（ステップＳ２０３）。次に、割当部２１３は、特定したＣＳＣＦユニット２２０の中から、第１の端末装置の加入者が契約しているサービスを提供するＣＳＣＦユニット２２０を特定する（ステップＳ２０４）。
ＣＳＣＦユニット２２０の特定は、例えば、ＣＳＣＦユニット２２０のＩＤと当該ＣＳＣＦユニット２２０が通信サービスを提供するセルＣのＩＤと提供可能なサービスの種別とを関連付けて記憶するデータベースを割当部２１３が参照することで行われても良い。また、ＣＳＣＦユニット２２０の特定は、例えば、各ＣＳＣＦユニット２２０に、通信サービスを提供するセルＣのＩＤと提供可能なサービスの種別とを割当部２１３が問い合わせることで行われても良い。
【００２６】
そして、割当部２１３は、特定したＣＳＣＦユニット２２０のうち１つを、第１の端末装置に割り当てる（ステップＳ２０５）。例えば、割当部２１３は、各ＣＳＣＦユニット２２０のＭＩＢ（Ｍａｎａｇｅｍｅｎｔ  Ｉｎｆｏｒｍａｔｉｏｎ  Ｂａｓｅ）情報を取得し、最も負荷が小さいＣＳＣＦユニット２２０を第１の端末装置に割り当てる。この後、ＣＳＣＦユニット２２０は、加入者情報記憶部２１１が記憶する加入者ＩＤとキーとに基づいて第１の端末装置の認証を行う。また、ＣＳＣＦユニット２２０は、第１の端末装置の位置情報を取得し、当該位置情報を加入者情報記憶部２１１に記録する。また、ＣＳＣＦユニット２２０は、第１の端末装置にＳＩＰ  ＵＲＩを設定し、当該ＳＩＰ  ＵＲＩを加入者ＩＤとして加入者情報記憶部２１１に記録する。つまり、割当部２１３は、ＣＳＣＦユニット２２０を第１の端末装置に割り当てた後に、当該ＣＳＣＦユニット２２０に第１の端末装置とのセッションを開始させる。
【００２７】
次に、確認部２１４は、第１の端末装置が要求するサービスが他の端末装置Ｍ（以下、第２の端末装置という）との通信であるか否かを判定する（ステップＳ２０６）。確認部２１４は、第１の端末装置が要求するサービスが第２の端末装置との通信であると判定した場合（ステップＳ２０６：ＹＥＳ）、当該第２の端末装置にＣＳＣＦユニット２２０が割り当てられているか否かを判定する（ステップＳ２０７）。端末装置ＭにＣＳＣＦユニット２２０が割り当てられているか否かを確認する方法としては、例えば確認部２１４が加入者情報記憶部２１１を参照し、加入者ＩＤとしてＳＩＰ  ＵＲＩが記録されているか否かを判定する方法が挙げられる。
【００２８】
確認部２１４は、第２の端末装置にＣＳＣＦユニット２２０が割り当てられていないと判定した場合（ステップＳ２０７：ＮＯ）、加入者情報記憶部２１１や外部の契約管理データベースなどを参照し、第２の端末装置のサービス状況を確認する。そして、確認部２１４は、第２の端末装置がサービスを受けられるか否かを判定する（ステップＳ２０８）。
【００２９】
確認部２１４が、第２の端末装置がサービスを受けることができると判定した場合（ステップＳ２０８：ＹＥＳ）、割当部２１３は、加入者情報記憶部２１１を参照して第２の端末装置が在圏しているセルＣを特定する（ステップＳ２０９）。次に、割当部２１３は、特定したセルＣにおける通信サービスを提供するＣＳＣＦユニット２２０を特定する（ステップＳ２１０）。次に、割当部２１３は、特定したＣＳＣＦユニット２２０の中から、第２の端末装置の加入者が契約しているサービスを提供するＣＳＣＦユニット２２０を特定する（ステップＳ２１１）。そして、割当部２１３は、特定したＣＳＣＦユニット２２０のうち１つを、第２の端末装置に割り当てる（ステップＳ２１２）。
【００３０】
割当部２１３は、以下に示す４つの場合に、ＩＭＳネットワーク２００による第１の端末装置へのサービスの提供を終了したか否かを判定する（ステップＳ２１３）。すなわち、割当部２１３は、確認部２１４が第１の端末装置が要求するサービスが第２の端末装置との通信でないと判定した場合に（ステップＳ２０６：ＮＯ）、第１の端末装置へのサービスの提供を終了したか否かを判定する。また、割当部２１３は、第２の端末装置にＣＳＣＦユニット２２０が割り当てられていると判定した場合に（ステップＳ２０７：ＹＥＳ）、第１の端末装置へのサービスの提供を終了したか否かを判定する。また、割当部２１３は、第２の端末装置がサービスを受けることができないと判定した場合に（ステップＳ２０８：ＮＯ）、第１の端末装置へのサービスの提供を終了したか否かを判定する。また、割当部２１３は、ステップＳ２１２でＣＳＣＦユニット２２０を第２の端末装置に割り当てた場合に、第１の端末装置へのサービスの提供を終了したか否かを判定する。
【００３１】
割当部２１３は、第１の端末装置へのサービスの提供を終了していないと判定した場合（ステップＳ２１３：ＮＯ）、ステップＳ２１３の判定を第１の端末装置へのサービスの提供を終了するまで繰り返し実行する。他方、割当部２１３は、第１の端末装置へのサービスの提供を終了したと判定した場合（ステップＳ２１３：ＹＥＳ）、第１の端末装置と割り当てたＣＳＣＦユニット２２０との通信を切断する（ステップＳ２１４）。つまり割当部２１３は、第１の端末装置へのサービスの提供を終了したときに、第１の端末装置のＩＭＳ登録を解除する。これにより、第１の端末装置がサービスを終了した後に在圏変更を行う場合に、ＩＭＳネットワーク２００のトラフィックが発生することを防ぐことができる。なお割当部２１３は、ステップＳ２１２で第２の端末装置にもＣＳＣＦユニット２２０を割り当てた場合、第２の端末装置とＣＳＣＦユニット２２０との通信も切断する。
【００３２】
このように、本実施形態によれば、割当部２１３は、端末装置Ｍが通信サービスの提供を受けるときに、ＣＳＣＦユニット２２０のうち当該端末装置Ｍが在圏するセルＣにおける通信サービスを提供するものを、端末装置Ｍに割り当てる。これにより、在圏変更処理部２１２が、端末装置Ｍの在圏変更処理を行うときに、ＣＳＣＦユニット２２０に対する在圏変更処理を行わなくても、端末装置ＭにＩＭＳネットワーク２００によるサービスを提供することができる。つまり、ＨＳＳ／ＨＬＲは、サービスの提供を開始するまでの在圏変更のトラフィックを削減することができる。
【００３３】
また本実施形態によれば、割当部２１３は、第１の端末装置が第２の端末装置と通信を行うときに、第１の端末装置と第２の端末装置のそれぞれについてＣＳＣＦユニット２２０を割り当てる。これにより、ＨＳＳ／ＨＬＲは、第２の端末装置にＣＳＣＦユニット２２０が割り当てられていない場合にも、第１の端末装置が第２の端末装置と通信を行わせることができる。
【００３４】
以上、図面を参照して一実施形態について詳しく説明してきたが、具体的な構成は上述のものに限られることはなく、様々な設計変更等をすることが可能である。
例えば、上述した実施形態では、アクセスネットワークが３Ｇエリアネットワーク１１０とＬＴＥネットワーク１２０であり、サービス提供システムがＩＭＳネットワーク２００である場合について説明したが、これに限られず、他のネットワークやシステムであっても良い。
【００３５】
《変形例》
また、上述した実施形態の変形例として、ＨＬＲ／ＨＳＳ２１０がＩＭＳネットワーク２００のトラフィック量を監視し、当該トラフィック量に基づいて在圏変更処理を異ならせるものが挙げられる。具体的には、ＨＬＲ／ＨＳＳ２１０は、ＩＭＳネットワーク２００のトラフィック量が所定の閾値を超える場合に、上述した実施形態のように、アクセスネットワークの在圏変更処理時にＣＳＣＦユニット２２０の在圏変更処理を行わない。他方、ＩＭＳネットワーク２００のトラフィック量が所定の閾値以下である場合、ＨＬＲ／ＨＳＳ２１０は、アクセスネットワークの在圏変更処理と同時にＣＳＣＦユニット２２０の在圏変更処理を行う。
【００３６】
また、上述した実施形態の変形例として、ＨＬＲ／ＨＳＳ２１０が時刻を監視し、現在時刻が通勤・通学時や帰宅時などのトラフィック量が増大する時刻である場合に、ＨＬＲ／ＨＳＳ２１０がアクセスネットワークの在圏変更処理時にＣＳＣＦユニット２２０の在圏変更処理を行わないものが挙げられる。この場合、トラフィック量が増大する可能性が低い時刻には、ＨＬＲ／ＨＳＳ２１０は、アクセスネットワークの在圏変更処理と同時にＣＳＣＦユニット２２０の在圏変更処理を行う。
【００３７】
《基本構成》
図５は、通信管理装置の基本構成を示す概略ブロック図である。
上述した実施形態では、通信管理装置の一実施形態として図２に示すＨＬＲ／ＨＳＳ２１０を挙げたが、通信管理装置の基本構成は、図５に示すとおりである。
すなわち、通信管理装置は、割当部２１３を備えることを基本構成とする。
【００３８】
割当部２１３は、端末装置Ｍが通信サービスの提供を受けるときに、自装置が属するサービス提供システムの呼処理装置のうち、当該端末装置Ｍが在圏する通信エリアにおける通信サービスを提供するものを、端末装置Ｍに割り当てる。
これにより、通信管理装置は、アクセスネットワークとサービス提供システムとを別個に備える通信システム１において、在圏変更処理によるトラフィックの量を抑えることができる。
【００３９】
《ハードウェア構成》
図６は、少なくとも１つの実施形態に係るコンピュータ９００の構成を示す概略ブロック図である。
コンピュータ９００は、ＣＰＵ９０１、主記憶装置９０２、補助記憶装置９０３、インタフェース９０４を備える。
上述のＨＬＲ／ＨＳＳ２１０は、コンピュータ９００に実装される。そして、上述した各処理部の動作は、プログラムの形式で補助記憶装置９０３に記憶されている。ＣＰＵ９０１は、プログラムを補助記憶装置９０３から読み出して主記憶装置９０２に展開し、当該プログラムに従って上記処理を実行する。また、補助記憶装置９０３には、予め、加入者情報記憶部２１１に格納されるデータが記録されている。
【００４０】
なお、少なくとも１つの実施形態において、補助記憶装置９０３は、一時的でない有形の媒体の一例である。一時的でない有形の媒体の他の例としては、インタフェース９０４を介して接続される磁気ディスク、光磁気ディスク、ＣＤ−ＲＯＭ（Ｃｏｍｐａｃｔ  Ｄｉｓｃ  −  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｋ  −  Ｒｅａｄ  Ｏｎｌｙ  Ｍｅｍｏｒｙ）、半導体メモリ等が挙げられる。また、このプログラムが通信回線によってコンピュータ９００に配信される場合、配信を受けたコンピュータ９００が当該プログラムを主記憶装置９０２に展開し、上記処理を実行しても良い。
【００４１】
また、当該プログラムは、前述した機能の一部を実現するためのものであっても良い。さらに、当該プログラムは、前述した機能を補助記憶装置９０３に既に記憶されている他のプログラムとの組み合わせで実現するもの、いわゆる差分ファイル（差分プログラム）であっても良い。
【符号の説明】
【００４２】
１…通信システム  １１０…３Ｇエリアネットワーク  １１１…ＭＳＣ  １２０…ＬＴＥネットワーク  １２１…Ｐ−ＧＷ  ２００…ＩＭＳネットワーク  ２１０…ＨＬＲ／ＨＳＳ  ２２０…ＣＳＣＦユニット  ２１１…加入者情報記憶部  ２１２…在圏変更処理部  ２１３…割当部  ２１４…確認部  ９００…コンピュータ  ９０１…ＣＰＵ  ９０２…主記憶装置  ９０３…補助記憶装置  ９０４…インタフェース  Ｃ…セル  Ｍ…端末装置
【図１】
2015173305.tif 000003
【図２】
2015173305.tif 000004
【図３】
2015173305.tif 000005
【図４】
2015173305.tif 000006
【図５】
2015173305.tif 000007
【図６】
2015173305.tif 000008